(57)【特許請求の範囲】
【請求項１】
楽曲データにおける楽曲情報を表示する表示手段と、
前記楽曲データに関する複数の詳細情報を含む前記楽曲情報が記憶されている第１記憶手段から指定楽曲データに対して同一の内容を示し表示形式が漢字仮名情報で示される第２詳細情報と前記仮名漢字情報の読み仮名である第１詳細情報を含む楽曲情報を取得する取得手段と、
前記取得手段により取得した楽曲情報に含まれる前記第１詳細情報を、前記各種詳細情報に対応する予め定められた識別符号により区分するとともに前記識別符号に付加してファイル名を生成し、当該生成したファイル名を前記指定楽曲データのファイル名として付与するとともに、前記生成した指定楽曲データのファイル名から前記第１詳細情報を抽出し、抽出した前記第１詳細情報を前記指定した楽曲データにおける前記楽曲情報として前記識別符号に対応させて前記表示手段に表示させる制御手段と、
を備えたオーディオ装置。
【請求項２】
前記制御手段は、前記第２詳細情報を前記指定楽曲データのタグ情報として当該指定楽曲データに付加する、
請求項１に記載のオーディオ装置。
【請求項３】
楽曲データにおける楽曲情報を表示する表示手段を備えたオーディオ装置におけるファイル名付与方法であって、
前記楽曲データに関する複数の詳細情報を含む前記楽曲情報が記憶されている第１記憶手段から指定楽曲データに対して同一の内容を示し表示形式が漢字仮名情報で示される第２詳細情報と前記仮名漢字情報の読み仮名である第１詳細情報を含む楽曲情報を取得する取得工程と、
前記取得工程により取得した楽曲情報に含まれる前記第１詳細情報を、前記各種詳細情報に対応する予め定められた識別符号により区分するとともに前記識別符号に付加してファイル名を生成する工程と、
当該生成したファイル名を前記指定楽曲データのファイル名として付与する工程と、
前記生成した指定楽曲データのファイル名から前記第１詳細情報を抽出し、抽出した前記第１詳細情報を前記指定した楽曲データにおける前記楽曲情報として前記識別符号に対応させて前記表示手段に表示させる表示工程と、
を含むオーディオ装置におけるファイル名付与方法。
【請求項４】
楽曲データにおける楽曲情報を表示する表示手段を備えたオーディオ装置のコンピュータを、
前記楽曲データに関する複数の詳細情報を含む前記楽曲情報が記憶されている第１記憶手段から指定楽曲データに対して同一の内容を示し表示形式が漢字仮名情報で示される第２詳細情報と前記仮名漢字情報の読み仮名である第１詳細情報を含む楽曲情報を取得する取得手段、
前記取得手段により取得した楽曲情報に含まれる前記第１詳細情報を、前記各種詳細情報に対応する予め定められた識別符号により区分するとともに前記識別符号に付加してファイル名を生成し、当該生成したファイル名を前記指定楽曲データのファイル名として付与するとともに、前記生成した指定楽曲データのファイル名から前記第１詳細情報を抽出し、抽出した前記第１詳細情報を前記指定した楽曲データにおける前記楽曲情報として前記識別符号に対応させて前記表示手段に表示させる制御手段、
として機能させるためのプログラム。
【発明の詳細な説明】
【技術分野】
【０００１】
本発明は、オーディオ装置、ファイル名付与方法及びプログラムに関する。
【背景技術】
【０００２】
近年、楽曲データに関する複数の詳細情報（例えば、アルバム名、アルバム名の読み仮名、アーティスト名、アーティスト名の読み仮名、アルバムのジャンル、ディスクナンバー、トラック名、トラック名の読み仮名、トラックナンバー等）を含む楽曲情報は、ＣＤＤＢ（CD DataBase）等のデータベースを利用して楽曲データに付加されるタグ情報として取得することができる。そして、このタグ情報を利用して、アーティスト名やアルバム名などを表示するオーディオ再生装置がある。
【０００３】
このタグ情報は、漢字・ひらがな・カタカナ・英文字等の複数の文字種と全角文字・半角文字等の表示形式の組み合わせによる各種文字形式で構成することができる。そのため、タグ情報が同じアーティスト名の楽曲データであっても、文字形式が異なる場合は、異なるアーティスト名と判別され、それぞれ別々にグループが形成されてしまう。
【０００４】
そこで、文字種や文字形式が異なっても同じアーティスト名やアルバム名などのタグ情報を有する楽曲データを１つのグループにグループ化するオーディオ再生装置として、複数のファイルを１つのグループにグループ化するための指示が入力された場合、選択された複数のファイルを１グループとしてグループ化し、当該グループのグループ情報を記憶するオーディオ再生装置が開示されている（特許文献１参照）。
【特許文献１】特開２００７−２４２１０４号公報
【発明の開示】
【発明が解決しようとする課題】
【０００５】
しかしながら、従来のオーディオ装置のなかには、漢字情報を表示できないオーディオ装置がある。このオーディオ装置では、タグ情報に漢字を含む楽曲情報が記載されていても、その情報を正確に表示することができない。また、漢字情報を表示できないオーディオ装置を用いて楽曲のタグ情報を記録すると、タグ情報には漢字を用いないカタカナやアルファベット等による文字が記録される。この楽曲を漢字表示可能なオーディオ装置を用いて再生した場合、再生するオーディオ装置には漢字表示機能があるにもかかわらず、漢字を用いた表示を行うことができない。
【０００６】
一方、このタグ情報を用いてフォルダ階層を形成するオーディオ装置がある。このオーディオ装置は、楽曲情報に基づいて上位層としてジャンル・アーティスト毎にフォルダを生成し、当該層の下位層にアルバム毎にフォルダを生成し、アルバム毎のフォルダにそのアルバムに属する楽曲が記録されている。そして、これらのジャンル名を付与されたフォルダ名や、アーティスト名を付与されたフォルダ名、楽曲名としてのファイル名を表示部に表示する機能を有している。
【０００７】
このオーディオ装置の場合、楽曲データを他のオーディオ装置にコピーした場合など、楽曲データに対して異なるフォルダ階層のオーディオ装置で再生する際、上位層のフォルダ名として記録されたアーティスト名やアルバム名の情報が失われるために、それらの情報が表示されないという問題がある。
【０００８】
本発明の課題は、上記問題に鑑みて、楽曲情報を構成する詳細情報の欠如を防止し、オーディオ装置に応じた楽曲情報を付与できるようにすることである。
【課題を解決するための手段】
【０００９】
請求項１に記載の発明は、
楽曲データにおける楽曲情報を表示する表示手段と、
前記楽曲データに関する複数の詳細情報を含む前記楽曲情報が記憶されている第１記憶手段から指定楽曲データに対して同一の内容を示し表示形式が漢字仮名情報で示される第２詳細情報と前記仮名漢字情報の読み仮名である第１詳細情報を含む楽曲情報を取得する取得手段と、
前記取得手段により取得した楽曲情報に含まれる前記第１詳細情報を、前記各種詳細情報に対応する予め定められた識別符号により区分するとともに前記識別符号に付加してファイル名を生成し、当該生成したファイル名を前記指定楽曲データのファイル名として付与するとともに、前記生成した指定楽曲データのファイル名から前記第１詳細情報を抽出し、抽出した前記第１詳細情報を前記指定した楽曲データにおける前記楽曲情報として前記識別符号に対応させて前記表示手段に表示させる制御手段と、
を備えたオーディオ装置、であることを特徴としている。
【００１０】
請求項２に記載の発明は、請求項１に記載のオーディオ装置において、
前記制御手段は、前記第２詳細情報を前記指定楽曲データのタグ情報として当該指定楽曲データに付加することを特徴としている。
【００１３】
請求項３に記載の発明は、
楽曲データにおける楽曲情報を表示する表示手段を備えたオーディオ装置におけるファイル名付与方法であって、
前記楽曲データに関する複数の詳細情報を含む前記楽曲情報が記憶されている第１記憶手段から指定楽曲データに対して同一の内容を示し表示形式が漢字仮名情報で示される第２詳細情報と前記仮名漢字情報の読み仮名である第１詳細情報を含む楽曲情報を取得する取得工程と、
前記取得工程により取得した楽曲情報に含まれる前記第１詳細情報を、前記各種詳細情報に対応する予め定められた識別符号により区分するとともに前記識別符号に付加してファイル名を生成する工程と、
当該生成したファイル名を前記指定楽曲データのファイル名として付与する工程と、
前記生成した指定楽曲データのファイル名から前記第１詳細情報を抽出し、抽出した前記第１詳細情報を前記指定した楽曲データにおける前記楽曲情報として前記識別符号に対応させて前記表示手段に表示させる表示工程と、
を含むオーディオ装置におけるファイル名付与方法であることを特徴としている。
【００１４】
請求項４に記載の発明は、
楽曲データにおける楽曲情報を表示する表示手段を備えたオーディオ装置のコンピュータを、
前記楽曲データに関する複数の詳細情報を含む前記楽曲情報が記憶されている第１記憶手段から指定楽曲データに対して同一の内容を示し表示形式が漢字仮名情報で示される第２詳細情報と前記仮名漢字情報の読み仮名である第１詳細情報を含む楽曲情報を取得する取得手段、
前記取得手段により取得した楽曲情報に含まれる前記第１詳細情報を、前記各種詳細情報に対応する予め定められた識別符号により区分するとともに前記識別符号に付加してファイル名を生成し、当該生成したファイル名を前記指定楽曲データのファイル名として付与するとともに、前記生成した指定楽曲データのファイル名から前記第１詳細情報を抽出し、抽出した前記第１詳細情報を前記指定した楽曲データにおける前記楽曲情報として前記識別符号に対応させて前記表示手段に表示させる制御手段、
として機能させるためのプログラムであることを特徴としている。
【発明の効果】
【００１５】
本発明によれば、楽曲情報を構成する詳細情報の欠如を防止し、オーディオ装置に応じた楽曲情報を付与できるようにすることである。
【発明を実施するための最良の形態】
【００１６】
以下、図を参照して本発明の実施の形態を詳細に説明する。
まず、構成を説明する。
図１に、本実施の形態におけるオーディオ装置１のブロック構成図を示す。
【００１７】
図１に示すように、オーディオ装置１は、制御部１０、記憶部１１、表示部１２、操作部１３、ＤＢ（Date Base）１４、ＣＤ（Compact Disk）メカ部１５、ＤＳＰ（Digital Signal Processor）１６、ＤＡＣ（Digital Analog Converter）１７、増幅部１８、出力部１９等を備えて構成されている。
【００１８】
制御部１０は、ＣＰＵ（Central Processing Unit）、ＲＯＭ（Read Only Memory）１０ａ及びＲＡＭ（Random Access Memory）１０ｂを備え、ＲＯＭ１０ａ等から各種処理プログラムや各種データを読み出してＲＡＭ１０ｂに展開し、当該プログラムとの協働によりオーディオ装置１内の各部を集中的に制御し、また各種演算を行う。
【００１９】
また、本実施の形態における制御部１０は、ＤＢ１４から操作部１３により指定された楽曲データ（指定楽曲データ）の楽曲情報を取得する取得手段として機能すると共に、取得した楽曲情報に含まれる各種詳細情報を予め定められた識別符号により区分してファイル名を生成し、当該生成したファイル名を指定楽曲データのファイル名として記憶部１１に記憶させるファイル名付与処理を実行し、また、指定楽曲データのファイル名から詳細情報を抽出し、抽出した詳細情報からなる楽曲情報を表示部１２に表示させる表示処理を実行する制御手段として機能する。
【００２０】
楽曲情報としては、背景技術の説明で前述しているが、楽曲データに関する複数の詳細情報から構成されている。この詳細情報としては、例えば、アルバム名、アーティスト名、アルバムのジャンル、ディスクナンバー、トラック名（楽曲名）、トラックナンバー等である。この詳細情報のうち、漢字を含む第２詳細情報である漢字仮名情報で示されるアルバム名、アーティスト名、楽曲名に対して、同一内容を示す漢字を含まない情報が記載されており、漢字仮名情報の読み仮名として使用できる第１詳細情報である読み仮名情報として定義する。漢字仮名情報は、漢字に加えてひらがな、カタカナ、英数字により構成され、読み仮名情報は、ひらがな、カタカナ、英数字により構成され、双方共にカタカナ、英数字は、全角および半角のいずれであってもよい。
【００２１】
記憶部１１は、ＨＤＤ（Hard Disk Drive）等の大容量の不揮発メモリであり、オーディオ装置１が再生可能な楽曲データが、ＭＰ３（MPEG-1 Audio Layer-3）やＷＭＡ（Windows Media(登録商標) Audio）などの圧縮ファイル等の形式で記憶する第２記憶手段として機能する。
【００２２】
表示部１２は、制御部１０からの表示信号に応じて、オーディオ装置１の動作モード情報、プレイリスト情報、楽曲データの楽曲情報等の各種情報を表示する表示手段として機能する。
【００２３】
操作部１３は、各種操作キーを備え、オーディオ装置１のユーザによる操作キーの操作に応じて操作信号を制御部１０へ出力する。
【００２４】
ＤＢ１４は、ＣＤＤＢ（Compact Disc Data Base）等の楽曲データに関する複数の詳細情報を含む楽曲情報が記憶されており、第１記憶手段として機能する。ＤＢ１４は、例えば、オーディオ装置１内に内蔵された不揮発性メモリ、着脱可能な外部メモリ、通信部を介して接続可能なインターネット上のサービスサーバ等である。
【００２５】
ＣＤメカ部１５は、ＣＤドライブ等の装置であり、ＣＤに記録された楽曲データを読み取り、ＤＳＰ１６へ出力する。
【００２６】
ＤＳＰ１６は、ディジタル信号処理用のマイクロプロセッサであり、エンコーダ１６ａ及びデコーダ１６ｂを備える。エンコーダ１６ａは、ＣＤメカ部１５から入力された楽曲データをエンコードしてＭＰ３方式やＷＭＡの圧縮ファイルを記憶部１１に出力する。デコーダ１６ｂは、記憶部１１からの圧縮ファイルをデコードして再生処理を行い、楽曲データをＤＡＣ１７に出力する。また、ＤＳＰ１６は、エラー訂正符号化の処理、ＥＦＭ（Eight to Fourteen Modulation）変調処理等の各種信号処理を施す。
【００２７】
ＤＡＣ１７は、ＤＳＰ１６から入力される楽曲データをアナログ信号に変換して出力するＤ／Ａ変換回路である。
【００２８】
増幅部１８は、ＤＡＣ１７から入力されるアナログ信号を増幅して出力部１９に出力する回路である。
【００２９】
出力部１９は、スピーカやヘッドホン、外部出力端子等、増幅部１８から入力されるアナログ信号を外部に出力する装置である。
【００３０】
次に、本実施の形態の動作を説明する。
図２に、本実施の形態におけるファイル名付与処理のフローチャートを示す。
【００３１】
制御部１０は、操作部１３により指定された楽曲データ（指定楽曲データ）の楽曲情報をＤＢ１４から取得し（ステップＳ１）、取得した楽曲情報に含まれる複数の詳細情報から当該指定楽曲データのファイル名を生成するために、第１詳細情報を抽出する（ステップＳ２）。
【００３２】
ステップＳ２において抽出される第１詳細情報としては、例えば、アルバム名、アーティスト名、トラック名（楽曲名）に対する漢字を含まない文字列、及び、第２詳細情報（漢字仮名情報）のそれぞれの読み仮名として対応付けられ、第２詳細情報と同一の内容を示し漢字を含まない文字列からなる第１詳細情報である。
【００３３】
制御部１０は、抽出した第１詳細情報と予め定められているファイル名付与加規則とに従って、ファイル名を生成する（ステップＳ３）。
【００３４】
ファイル名付与規則は、抽出した第１詳細情報を予め定められた識別符号により区分してファイル名を付与する規定である。
【００３５】
例えば、識別符号として、アーティスト名を識別する識別符号としてＡｔ、アルバム名を識別する識別符号としてＡｌ、トラック名を識別する識別符号としてＴを用いることができる。この場合、ファイル名付与規則の例としては、この各識別符号の直後の［  ］カッコ内に当該識別符号に対応する詳細情報の内容を示す第１詳細情報を格納し、予め設定された順番で識別符号と第１詳細情報を配列して下記に示すファイル名の例１のようなファイル名を付与する規則である。
【００３６】
［ファイル名の例１］
Ａｔ［アーティスト名の読み仮名］Ａｌ［アルバム名の読み仮名］Ｔ［トラック名の読み仮名］．ｍｐ３
【００３７】
他の識別符号の例としては、連続する記号（例えば、＠）の数を異ならせて識別符号としてもよい。この場合、ファイル名付与規則の例としては、記号なしから記号一つ（＠）までの間の第１詳細情報をトラック名、記号一つ（＠）から記号二つ（＠＠）までの間の第１詳細情報をアルバム名、記号二つ（＠＠）から記号三つ（＠＠＠）までの間の第１詳細情報をアーティスト名を格納し、予め設定された順番で識別符号と第１詳細情報を配列して下記に示すファイル名の例２のようなファイル名を付与する規則である。
【００３８】
［ファイル名の例２］
トラック名の読み仮名＠アルバム名の読み仮名＠＠アーティスト名の読み仮名＠＠＠．ｍｐ３
【００３９】
制御部１０は、生成したファイル名を指定楽曲データのファイル名として付与する（ステップＳ４）。また、ステップＳ１において取得した楽曲データに含まれる詳細情報のうち、ステップＳ２において抽出されなかった第２詳細情報を含む詳細情報を当該指定楽曲データのタグ情報として付加させ（ステップＳ５）、フィル名が付与されタグ情報が付加された指定楽曲データのファイルを記憶部１１に記憶させて本処理を終了する。
【００４０】
図３に、本実施の形態における表示処理のフローチャートを示す。
制御部１０は、操作部１３から楽曲データの楽曲情報を表示させる操作信号が入力されると、指示された楽曲データ（指定楽曲データ）のファイル名を取得し（ステップＳ１１）、取得したファイル名は、ファイル名付与規則に従って構成されているファイル名か否かを判別する（ステップＳ１２）。
【００４１】
ステップＳ１２の判別としては、例えば、ファイル名を構成する要素とファイル名付与規則に予め設定された識別符号の有無や識別符号の並び順等を照合することにより、ファイル名付与規則に従って構成されているファイル名か否かを判別することができる。
【００４２】
制御部１０は、取得したファイル名がファイル名付与規則に従って構成されたファイル名でない場合（ステップＳ１２；Ｎｏ）、タグ情報またはファイル名に基づく表示を行い（ステップＳ１３）、本処理を終了する。
【００４３】
ステップＳ１３におけるタグ情報またはファイル名に基づく表示とは、例えば、楽曲データにタグ情報が付加されている場合には、当該タグ情報として付加された楽曲情報に基づいて表示部１２に楽曲情報を表示させたり、楽曲データにタグ情報が付加されていない場合には、ファイル名を表示部１２に表示させたりする処理である。
【００４４】
制御部１０は、取得したファイル名がファイル名付与規則に従って構成されたファイル名である場合（ステップＳ１２；Ｙｅｓ）、ファイル名付与規則に従ってファイル名から楽曲情報を抽出する（ステップＳ１４）。
【００４５】
ステップＳ１４における楽曲情報の抽出としては、例えば、ファイル名付与規則が、アーティスト名を識別する識別符号としてＡｔ、アルバム名を識別する識別符号としてＡｌ、トラック名を識別する識別符号としてＴを用い、各識別符号の直後の［  ］カッコ内に当該識別符号が示す詳細情報の内容を示す第１詳細情報を格納し、予め設定された順番で識別符号と第１詳細情報を配列するものである場合、各識別符号を参照し、当該参照した識別符号の直後のカッコ内に格納された詳細情報を抽出し、識別符号と抽出した詳細情報との対応関係により、楽曲情報の詳細情報を抽出する。
【００４６】
例えば、ファイル名が、Ａｔ［アーティスト名の読み仮名］Ａｌ［アルバム名の読み仮名］Ｔ［トラック名の読み仮名］．ｍｐ３、である場合、ファイル名の先頭に位置する識別符号Ａｔのカッコ［  ］内に格納されたアーティスト名の読み仮名を示す詳細情報を抽出してアーティスト名とし、ファイル名の先頭から２番目に位置する識別符号Ａｌのカッコ［  ］内に格納されたアルバム名の読み仮名を示す詳細情報を抽出してアルバム名とし、ファイル名の３番目に位置する識別符号Ｔのカッコ［  ］内に格納されたトラック名の読み仮名を示す詳細情報を抽出してトラック名とし、アーティスト名、アルバム名、トラック名の楽曲情報を抽出する。
【００４７】
制御部１０は、抽出した楽曲情報に基づいて表示画面を生成し、生成した表示画面を表示部１２に表示させ（ステップＳ１５）、本処理を終了する。
【００４８】
図４（ａ）、（ｂ）に、ステップＳ１５において表示される表示画面の例を示す。
図４（ａ）、（ｂ）に示す表示画面は、ファイル名が、Ａｔ［アーティスト名の読み仮名］Ａｌ［アルバム名の読み仮名］Ｔ［トラック名の読み仮名］．ｍｐ３、である場合の表示画面の例を示している。
【００４９】
図４（ａ）に示す表示画面には、アーティスト名符号Ｋ１、アルバム名符号Ｋ２、トラック名符号Ｋ３、アーティスト名表示領域Ｅ１、アルバム名表示領域Ｅ２、トラック名表示領域Ｅ３等から構成されている。
【００５０】
アーティスト名符号Ｋ１に隣接したアーティスト名表示領域Ｅ１には、アーティスト名としてステップＳ１４にて抽出されたアーティスト名読み仮名（図４（ａ）では、漢字を含まない表記で示されたケンタロウ：全角でも半角でも可）が表示される。アルバム名符号Ｋ２に隣接したアルバム名表示領域Ｅ２には、アルバム名としてステップＳ１４にて抽出されたアルバム名読み仮名（図４（ａ）では、漢字を含まない表記で示されたトッキョ：全角でも半角でも可）が表示される。トラック名符号Ｋ３に隣接したトラック名表示領域Ｅ３には、トラック名としてステップＳ１４にて抽出されたトラック名読み仮名（図４（ａ）では、漢字を含まない表記で示されたシュツガンノウタ）が表示される。
【００５１】
図４（ｂ）に示す表示画面は、アーティスト名符号Ｋ１１、アルバム名符号Ｋ１２、トラック名符号Ｋ１３、アーティスト名表示領域Ｅ１、アルバム名表示領域Ｅ２、トラック名表示領域Ｅ３等から構成されている。
【００５２】
図４（ａ）に示す表示画面のアーティスト名符号Ｋ１、アルバム名符号Ｋ２、トラック名符号Ｋ３は、アーティスト名、アルバム名、トラック名を示す文字を用いた記号で示しているのに対し、図４（ｂ）に示す表示画面のアーティスト名符号Ｋ１、アルバム名符号Ｋ２、トラック名符号Ｋ３は、アーティスト名、アルバム名、トラック名をイメージさせるシンボル（例えば、人の形、ＣＤの形、音符マーク等で示しているものである。
【００５３】
その他、表示画面には、楽曲データのタグ情報として漢字を含まない詳細情報が楽曲情報として付加されている場合には、当該詳細情報を表示してもよい。
【００５４】
以上のように、本実施形態によれば、ＤＢ１４から楽曲データに関する複数の詳細情報から構成されている楽曲情報を取得し、取得した楽曲情報の詳細情報のうち漢字を含まない表示形式で示された第１詳細情報を抽出し、当該抽出した第１詳細情報を予め定められた識別符号により区分して当該楽曲データのファイル名を生成し、また、第１詳細情報が抽出された楽曲情報をタグ情報として楽曲データに付加し、当該生成したファイル名を当該楽曲データのファイル名として記憶部１１に記憶させるため、漢字を表示できないオーディオ再生装置や、漢字を表示できないオーディオ装置で作成された楽曲ファイルを漢字表記可能なオーディオ装置で再生した場合など、楽曲情報を構成する詳細情報の欠如を防止し、オーディオ装置に応じた楽曲情報を付与できる。
【００５５】
なお、本発明は、上記実施形態に限らず、適宜変更可能であるのは勿論である。
【図面の簡単な説明】
【００５６】
【図１】オーディオ装置のブロック構成図である。
【図２】ファイル名付与処理のフローチャートである。
【図３】表示処理のフローチャートである。
【図４】ステップＳ１５において表示される表示画面の例を示す図である。
【符号の説明】
【００５７】
１  オーディオ装置
１０  制御部
１０ａ  ＲＯＭ
１０ｂ  ＲＡＭ
１１  記憶部
１２  表示部
１３  操作部
１４  ＤＢ
１５  ＣＤメカ部
１６  ＤＳＰ
１６ａ  エンコーダ
１６ｂ  デコーダ
１７  ＤＡＣ
１８  増幅部
１９  出力部
Ｅ１  アーティスト名表示領域
Ｅ２  アルバム名表示領域
Ｅ３  トラック名表示領域
Ｋ１、Ｋ１１  アーティスト名符号
Ｋ２、Ｋ１２  アルバム名符号
Ｋ３、Ｋ１３  トラック名符号
【図１】
0004992809.tif 000002
【図２】
0004992809.tif 000003
【図３】
0004992809.tif 000004
【図４】
0004992809.tif 000005